【手続補正書】
【提出日】平成23年4月21日(2011.4.21)
【手続補正１】
【補正対象書類名】特許請求の範囲
【補正対象項目名】全文
【補正方法】変更
【補正の内容】
【特許請求の範囲】
【請求項１】
携帯機器を構成する第１筐体及び第２筐体のいずれか一方の筐体に取り付けられるベース部材と、このベース部材に対しスライド機構を介してスライド可能に係合され、前記第１筐体及び前記第２筐体のいずれか他方の筐体に取り付けられるスライダー部材と、このスライダー部材と前記ベース部材との間に設けられ、前記ベース部材に対して前記スライダー部材を所定の開閉位置から閉成方向又は開成方向にスライド付勢するリンク機構とを備えた携帯機器の開閉装置であって、
前記リンク機構が、その各一端部側を前記ベース部材に回動可能に取り付けられた２つの第１リンク部材と、この第１リンク部材の各他端部側にそれぞれの一端部側を互いに回動可能に取り付けられると共に他端部側を前記スライダー部材に回動可能に取り付けられた２つの第２リンク部材と、前記２つの第１リンク部材にそれぞれ回動可能に設けられた第１スプリング取付部材と、前記２つの第２リンク部材にそれぞれ回動可能に設けられた第２スプリング取付部材と、前記２つの第１スプリング取付部材に両端部がそれぞれ取り付けられ、前記２つの第１リンク部材を互いに近づく方向に付勢する複数並列された第１付勢部材と、前記２つの第２スプリング取付部材に両端部がそれぞれ取り付けられ、前記２つの第２リンク部材を互いに近づく方向に付勢する複数並列された第２付勢部材とで構成されたことを特徴とする、携帯機器の開閉装置。
【請求項２】
前記ベース部材又は前記スライダー部材のいずれか一方の両側部に設けた断面略Ｕ字形状を呈した係合部に取り付けられた溝付きの複数の回転ローラと、前記ベース部材又は前記スライダー部材のいずれか他方の両側部に設けられたレール部と、でスライド機構を構成したことを特徴とする、請求項１に記載の携帯機器の開閉装置。
【請求項３】
前記ベース部材又は前記スライダー部材のいずれか一方の両側部に設けた断面略Ｕ字形状を呈した係合部に取り付けられた溝付きの複数の回転ローラと、前記ベース部材又はスライダー部材のいずれか他方の両側部に設けられたレール部と、前記係合部の前記回転ローラの間に設けられたスペーサと、で前記スライド機構を構成したことを特徴とする、請求項１乃至２のいずれか１項に記載の携帯機器の開閉装置。
【請求項４】
前記第１付勢部材及び前記第２付勢部材は、引張りコイルスプリングであることを特徴とする、請求項１乃至３のいずれか１項に記載の携帯機器の開閉装置。
【請求項５】
前記第１スプリング取付部材及び前記第２スプリング取付部材には、前記第１付勢部材及び前記第２付勢部材をそれぞれ個別に着脱可能に取り付ける鉤状のスプリング取付部が設けられていることを特徴とする、請求項１乃至４のいずれか１項に記載の携帯機器の開閉装置。
【請求項６】
前記第１スプリング取付部材及び前記第２スプリング取付部材には、前記第１リンク部材及び前記第２リンク部材に回動可能に支持される回動支持部が設けられ、この回動支持部には、拡径された抜け止め部が設けられ、前記第１リンク部材及び前記第２リンク部材には、前記回動支持部が回動可能に係合する回動係合部が設けられ、この回動係合部には、前記抜け止め部より大きな径の挿入部が設けられ、この挿入部から前記抜け止め部を挿入して前記回動支持部を前記回動係合部に移動させることによって、前記第１リンク部材及び前記第２リンク部材に前記第１スプリング取付部材及び前記第２スプリング取付部材が回動可能に取り付けられることを特徴とする、請求項１〜５のいずれか１項に記載の携帯機器の開閉装置。
【請求項７】
前記２つの第１リンク部材は、第１回動支持シャフトによって互いに回動可能に連結され、この第１回動支持シャフトには、拡径された抜け止め部が設けられ、前記ベース部材には、前記第１回動支持シャフトが回動可能に係合する第１係合部が設けられ、この第１係合部には、前記抜け止め部より大きな径の挿入部が設けられ、この挿入部から前記抜け止め部を挿入して前記第１回動支持シャフトを前記第１係合部に移動させることによって、前記ベース部材に前記第１リンク部材が回動可能に取り付けられ、
前記２つの第２リンク部材は、第２回動支持シャフトによって互いに回動可能に連結され、この第２回動支持シャフトには、拡径された抜け止め部が設けられ、前記スライダー部材には、前記第２回動支持シャフトが回動可能に係合する第２係合部が設けられ、この第２係合部には、前記抜け止め部より大きな径の挿入部が設けられ、この挿入部から前記抜け止め部を挿入して前記第２回動支持シャフトを前記第２係合部に移動させることによって、前記スライダー部材に前記第２リンク部材が回動可能に取り付けられることを特徴とする、請求項１〜６のいずれか１項に記載の携帯機器の開閉装置。
【請求項８】
前記請求項１〜７のいずれか１項に記載の携帯機器の開閉装置を備えたことを特徴とする、携帯機器。
【手続補正２】
【補正対象書類名】明細書
【補正対象項目名】０００８
【補正方法】変更
【補正の内容】
【０００８】
本発明に係る携帯機器の開閉装置において、ベース部材又は前記スライダー部材のいずれか一方の両側部に設けた断面略Ｕ字形状を呈した係合部に取り付けられた溝付きの複数の回転ローラと、ベース部材又はスライダー部材のいずれか他方の両側部に設けられたレール部とでスライド機構を構成したり、ベース部材又はスライダー部材のいずれか一方の両側部に設けた断面略Ｕ字形状を呈した係合部に取り付けられた溝付きの複数の回転ローラと、ベース部材又はスライダー部材のいずれか他方の両側部に設けられたレール部と、係合部の回転ローラの間に設けられたスペーサとでスライド機構を構成することができる。
さらに、本願発明に係る携帯機器の開閉装置において、前記第１付勢部材及び前記第２付勢部材は、引張りコイルスプリングであることが好ましい。また、本発明に係る携帯機器の開閉装置において、前記第１スプリング取付部材及び前記第２スプリング取付部材には、前記第１付勢部材及び前記第２付勢部材をそれぞれ個別に着脱可能に取り付ける鉤状のスプリング取付部が設けられていることが好ましい。また、本発明に係る携帯機器の開閉装置において、前記第１スプリング取付部材及び前記第２スプリング取付部材には、前記第１リンク部材及び前記第２リンク部材に回動可能に支持される回動支持部が設けられ、この回動支持部には、拡径された抜け止め部が設けられ、前記第１リンク部材及び前記第２リンク部材には、前記回動支持部が回動可能に係合する回動係合部が設けられ、この回動係合部には、前記抜け止め部より大きな径の挿入部が設けられ、この挿入部から前記抜け止め部を挿入して前記回動支持部を前記回動係合部に移動させることによって、前記第１リンク部材及び前記第２リンク部材に前記第１スプリング取付部材及び前記第２スプリング取付部材が回動可能に取り付けられることが好ましい。
【手続補正３】
【補正対象書類名】明細書
【補正対象項目名】０００９
【補正方法】変更
【補正の内容】
【０００９】
また、本発明に係る携帯機器の開閉装置において、前記２つの第１リンク部材は、第１回動支持シャフトによって互いに回動可能に連結され、この第１回動支持シャフトには、拡径された抜け止め部が設けられ、前記ベース部材には、前記第１回動支持シャフトが回動可能に係合する第１係合部が設けられ、この第１係合部には、前記抜け止め部より大きな径の挿入部が設けられ、この挿入部から前記抜け止め部を挿入して前記第１回動支持シャフトを前記第１係合部に移動させることによって、前記ベース部材に前記第１リンク部材が回動可能に取り付けられ、前記２つの第２リンク部材は、第２回動支持シャフトによって互いに回動可能に連結され、この第２回動支持シャフトには、拡径された抜け止め部が設けられ、前記スライダー部材には、前記第２回動支持シャフトが回動可能に係合する第２係合部が設けられ、この第２係合部には、前記抜け止め部より大きな径の挿入部が設けられ、この挿入部から前記抜け止め部を挿入して前記第２回動支持シャフトを前記第２係合部に移動させることによって、前記スライダー部材に前記第２リンク部材が回動可能に取り付けられることが好ましい。
【手続補正４】
【補正対象書類名】明細書
【補正対象項目名】００１６
【補正方法】変更
【補正の内容】
【００１６】
ベース部材２は、第１筐体１１の上面の長手方向の一側部に例えばビス等により取り付けられる。ベース部材２は、図２〜図４及び図１０に示すように、例えば、第１筐体１１の長手方向に伸びる幅の狭い平面略矩形平板状に形成されている基板部２１と、この基板部２１の両側部に設けられた断面略Ｕ字形状を呈した係合部２２とからなる。係合部２２は、別部材を取り付けて形成してもよいし、基板部２１の両側部を断面略コの字状に折り曲げて基板部２１と一体的に形成してもよい。ベース部材２は、例えばステンレス製の金属プレートをプレス加工することにより形成される。
【手続補正５】
【補正対象書類名】明細書
【補正対象項目名】００２５
【補正方法】変更
【補正の内容】
【００２５】
第１回動支持シャフト５１は、図１３に示すように、直径が一番大きな大径部５２が軸方向の略中央部に形成された略円柱状に形成されている。第１回動支持シャフト５１の大径部５２より一方の端部側には、大径部５２より直径が小さな第１支持部５３と、この第１支持部５３より直径が小さな第２支持部５４とが設けられている。第１支持部５３の直径は、例えば、直径が大きな第１回動支持孔４１ｃ（第１Ａ回動支持孔４１ｃということがある。）の直径より若干小さな直径で形成されている。第１支持部５３の軸方向の長さは、第１Ａ回動支持孔４１ｃを有する第１リンク部材４１ａの厚さより厚い寸法で形成されている。第２支持部５４の直径は、例えば、直径が小さな第１回動支持孔４１ｄ（第１Ｂ回動支持孔４１ｄということがある。）の直径より略同じか若干小さな直径で形成されている。これにより、第１回動支持シャフト５１の第１支持部５３を一方の第１リンク部材４１ａの第１Ａ回動支持孔４１ｃに挿入した後、この第２支持部５４を他方の第１リンク部材４１ｂの第１Ｂ回動支持孔４１ｄに挿入し、この第２支持部５４の先端部をかしめることにより、２つの第１リンク部材４１ａ、４１ｂは第１回動支持シャフト５１を介して互いに回動可能に連結される。
【手続補正６】
【補正対象書類名】明細書
【補正対象項目名】００２９
【補正方法】変更
【補正の内容】
【００２９】
第２回動支持シャフト６１は、図１３に示すように、直径が一番大きな大径部６２が軸方向の略中央部に形成された略円柱状に形成されている。第２回動支持シャフト６１の大径部６２より一方の端部側には、大径部６２より直径が小さな第１支持部６３と、この第１支持部６３より直径が小さな第２支持部６４とが設けられている。第１支持部６３の直径は、例えば、直径が大きな第２回動支持孔４２ｃ（第２Ａ回動支持孔４２ｃということがある。）の直径より若干小さな直径で形成されている。第１支持部６３の軸方向の長さは、第２Ａ回動支持孔４２ｃを有する第２リンク部材４２ａ、４２ｂの厚さより長い寸法で形成されている。第２支持部６４の直径は、例えば、直径が小さな第２回動支持孔４２ｄ（第２Ｂ回動支持孔４２ｄということがある。）の直径より略同じか若干小さな直径で形成されている。これにより、第２回動支持シャフト６１の第１支持部６３を一方の第２リンク部材４２ａの第２Ａ回動支持孔４２ｃに挿入した後、この第２支持部６４を他方の第２リンク部材４２ｂの第２Ｂ回動支持孔４２ｄに挿入し、この第２支持部６４の先端部をかしめることにより、２つの第２リンク部材４２ａ、４２ｂは第２回動支持シャフト６１を介して互いに回動可能に連結される。